(57)【要約】【課題】  既存の屋根・外壁をそのまま残して改修する場合において、不必要な凹凸部が発生することを防止することが可能な屋根・外壁改修工法と屋根・外壁改修構造を提供すること。【解決手段】  板材をその一部を重合させた状態で順次葺いて構成され、葺き方向先端に位置する板材の働き幅がその他の板材の働き幅に対してバラツキを持った屋根又は外壁を改修用金属製板材を使用して改修する屋根・外壁改修工法において、上記板材の働き幅のバラツキに合せて上記改修用金属製板材の内葺き方向先端に位置する改修用金属製板材の働き幅をその他の改修用金属製板材の働き幅に対してバラツキを持たせ、それによって、全ての改修用金属製板材の釘打部が上記板材の重合箇所の手前に位置するようにしたもの。【選択図】  図１
2018071090.tif 000002
【特許請求の範囲】
【請求項１】
板材をその一部を重合させた状態で順次葺いて構成され、働き幅（ｂ）にバラツキを持った屋根又は外壁を、金属製板材を使用して改修する屋根・外壁改修工法において、
上記金属製板材は先端側に係合凹部を有し基端側に隣接する別の金属製板材の上記係合凹部が係合する係合凸部を備えていて、
上記金属製板材の先端から上記係合凸部の先端までの距離（ｌ）に、上記板材の働き幅のバラツキ（ｂ）に合せてバラツキを持たせ、それによって、全ての金属製板材の釘打部が上記板材の重合箇所の手前に位置するようにしたことを特徴とする屋根・外壁改修工法。
【請求項２】
請求項１記載の屋根・外壁改修工法において、
上記板材の内先端に位置する板材の働き幅（ｂ１）がその他の板材の働き幅（ｂ２）に対して小さく設定されており、それに対応するように、上記金属製板材の内先端に位置する金属製スタータ板材の距離（ｌ１）をその他の金属製標準板材の距離（ｌ２）より小さく設定したことを特徴とする屋根・外壁改修工法。
【請求項３】
請求項１又は請求項２記載の屋根・外壁改修工法において、
上記金属製板材は上記板材との間に断熱用空間が形成されるように葺かれることを特徴とする屋根・外壁改修工法。
【請求項４】
請求項３記載の屋根・外壁改修工法において、
上記断熱用空間は上記釘打部を挟んで葺き方向両側に設けられていることを特徴とする屋根・外壁改修工法。
【請求項５】
板材をその一部を重合させた状態で順次葺いて構成され、働き幅（ｂ）にバラツキを持った屋根又は外壁と、
上記屋根又は外壁の改修に使用される複数枚の金属製板材と、
を具備し、
上記金属製板材は先端側に係合凹部を有し基端側に隣接する別の金属製板材の上記係合凹部が係合する係合凸部を備えていて、
上記金属製板材の先端から上記係合凸部の先端までの距離（ｌ）に、上記板材の働き幅（ｂ）のバラツキに合せてバラツキを持たせ、それによって、全ての金属製板材の釘打部が上記板材の重合箇所の手前に位置するようにしたことを特徴とする屋根・外壁改修構造。
【請求項６】
請求項５記載の屋根・外壁改修構造において、
上記板材の内先端に位置する板材の働き幅（ｂ１）がその他の板材の働き幅（ｂ２）に対して小さく設定されており、それに対応するように、上記金属製板材の内先端に位置する金属製スタータ板材の距離（ｌ１）をその他の金属製標準板材の距離（ｌ２）より小さく設定したことを特徴とする屋根・外壁改修構造。
【請求項７】
請求項５又は請求項６記載の屋根・外壁改修構造において、
上記金属製板材は上記板材との間には断熱用空間が形成されていることを特徴とする屋根・外壁改修構造。
【請求項８】
請求項７記載の屋根・外壁改修構造において、
上記断熱用空間は上記釘打部を挟んで葺き方向両側に設けられていることを特徴とする屋根・外壁改修構造。
【発明の詳細な説明】
【技術分野】
【０００１】
本発明は、例えば、既存の屋根又は外壁をそのまま残した状態で改修する屋根・外壁改修工法と屋根・外壁改修構造に係り、特に、不必要な凹凸を発生させることなく改修することを可能とし、且つ、美感上も優れた外観を提供することができるように工夫したものに関する。
【背景技術】
【０００２】
屋根改修構造を開示するものとして、例えば、特許文献１がある。この特許文献１に開示されている屋根改修構造を、図１０を参照して説明する。
まず、既存の屋根１０１の構成から説明する。野地板１０３があり、この野地板１０３の上にはアスファルトルーフィング１０５が設置されている。このアルファールーフィング１０５の上に複数枚の新生屋根瓦１０７が葺かれている。
尚、上記新生屋根瓦１０７としては、例えば、スレート屋根、石綿スレート屋根、等がある。
【０００３】
このような既存の屋根１０１の上に新たな屋根１１１を葺いていく。
まず、上記既存の屋根１０１の上に合成樹脂発泡体層１１３が設置されている。この合成樹脂発泡体１１３の上に、裏打材１１５と鋼板製屋根材１１７が葺かれていく。すなわち、裏打材１１５の上に鋼板製屋根材１１７を積層させた状態で釘１１９によって釘打ちして固定する。そのような作業を順次繰り返していく。
上記鋼板製屋根材１１７の先端には係合凹部１２１が形成されているとともに、基端には係合凸部１２３が形成されている。そして、上記鋼板製屋根材１１７の係合凸部１２３に次に葺かれる鋼板製屋根材１１７の係合凹部１２１が係合される。
又、釘１１９による釘打部は次に葺かれる裏打材１１５により覆われる。
【０００４】
上記構成の場合には、既存の屋根１０１を撤去する必要がない分改修作業が簡略化されることになる。
しかしながら、合成樹脂発泡体１１３及び裏打材１１５の設置が必要になる等、煩雑な作業も残っており、改修作業及び改修構造のさらなる簡略化が要求されていた。
【０００５】
そのような問題を解決する新たな改修構造を示すものとして、例えば、特許文献２がある。この特許文献２に開示されている屋根の改修構造を図１１を参照して説明する。
まず、既存の屋根２０１の構成から説明する。野地板２０３があり、この野地板２０３の上には防水シート２０５が設置されている。上記防水シート２０５の上には複数枚の新生屋根瓦２０７が葺かれている。
【０００６】
このような既存の屋根２０１の上に新たな屋根２１１を葺いていく。新たな屋根２１１は複数枚の鋼板製屋根材２１３から構成されている。すなわち、鋼板製屋根材２１３を上記新生屋根瓦２０７の上に葺いて釘２１５により釘打ちを施す作業を繰り返し行う。
上記鋼板製屋根材２１３の先端には係合凹部２１７が形成されているとともに、基端には係合凸部２１９が形成されている。そして、鋼板製屋根材２１３の係合凸部２１９に次に葺かれる鋼板製屋根材２１３の係合凹部２１７を係合させながら順次葺いていく。
【先行技術文献】
【特許文献】
【０００７】
【特許文献１】特開平７−３０５４５１号公報
【特許文献２】特開２０００−１９４９号公報
【発明の概要】
【発明が解決しようとする課題】
【０００８】
上記従来の構成によると次のような問題があった。
すなわち、特許文献２に記載されている発明による屋根の改修構造の場合には、既存の新生屋根瓦２０７の上に鋼板製屋根材２１３を直接葺いていくので、特許文献１に記載されている発明に比べると、改修に要する工数を低減させることができ、且つ、特許文献１に記載されている発明の合成樹脂発泡体１１３及び裏打材１１５に相当するものがない分物量を大幅に低減させることができる。
しかしながら、例えば、既存の新生屋根瓦２０７の働き幅（外部に露出している幅）の「バラツキ」に対する考慮はなく、鋼板製屋根材２１３としても全て標準的な働き幅のものを使用している。その場合、鋼板製屋根材２１３の釘打部が既存の新生屋根瓦２０７の重合部に位置してしまうようなことも予想され、その場合には、改修後の屋根に不必要な凹凸が発生してしまい、機能的にも、美観上も好ましくないという問題があった。
より具体的に説明すると、通常、屋根の先端（樋の手前）の新生屋根瓦２０７の働き幅はそれ以降の新生屋根瓦２０７の働き幅に比べて小さくなっている。その為、そこに標準的な鋼板製屋根材２１３をそのまま設置した場合には、その釘打部が先端の新生屋根２０７とその次の新生屋根瓦２０７の重合部に位置してしまうことがあり、そのまま釘打ちすると、上記のような凹凸が発生してしまう。
尚、この種の問題は、屋根に限ったことではく、外壁についても同様にいえる。
【０００９】
本発明はこのような点に基づいてなされたものでその目的とするところは、既存の屋根・外壁をそのまま残して改修する場合において、不必要な凹凸部が発生することを防止することが可能な屋根・外壁改修工法と屋根・外壁改修構造を提供することにある。
【課題を解決するための手段】
【００１０】
上記目的を達成するべく本願発明の請求項１による屋根・外壁の改修工法は、板材をその一部を重合させた状態で順次葺いて構成され、働き幅（ｂ）にバラツキを持った屋根又は外壁を、金属製板材を使用して改修する屋根・外壁改修工法において、上記金属製板材は先端側に係合凹部を有し基端側に隣接する別の金属製板材の上記係合凹部が係合する係合凸部を備えていて、上記金属製板材の先端から上記係合凸部の先端までの距離（ｌ）に、上記板材の働き幅（ｂ）のバラツキに合せてバラツキを持たせ、それによって、全ての金属製板材の釘打部が上記板材の重合箇所の手前に位置するようにしたことを特徴とするものである。
又、請求項２による屋根・外壁の改修工法は、請求項１記載の屋根・外壁改修工法において、上記板材の内先端に位置する板材の働き幅（ｂ１）がその他の板材の働き幅（ｂ２）に対して小さく設定されており、それに対応するように、上記金属製板材の内先端に位置する金属製スタータ板材の距離（ｌ１）をその他の金属製標準板材の距離（ｌ２）より小さく設定したことを特徴とするものである。
又、請求項３による屋根・外壁の改修工法は、請求項１又は請求項２記載の屋根・外壁改修工法において、上記金属製板材は上記板材との間に断熱用空間が形成されるように葺かれることを特徴とするものである。
又、請求項４による屋根・外壁の改修工法は、請求項３記載の屋根・外壁改修工法において、上記断熱用空間は上記釘打部を挟んで葺き方向両側に設けられていることを特徴とするものである。
又、請求項５による屋根・外壁の改修構造は、板材をその一部を重合させた状態で順次葺いて構成され、働き幅（ｂ）にバラツキを持った屋根又は外壁と、上記屋根又は外壁の改修に使用される複数枚の金属製板材と、を具備し、上記金属製板材は先端側に係合凹部を有し基端側に隣接する別の金属製板材の上記係合凹部が係合する係合凸部を備えていて、上記金属製板材の先端から上記係合凸部の先端までの距離（ｌ）に、上記板材の働き幅（ｂ）のバラツキに合せてバラツキを持たせ、それによって、全ての金属製板材の釘打部が上記板材の重合箇所の手前に位置するようにしたことを特徴とするものである。
又、請求項６による屋根・外壁の改修構造は、請求項５記載の屋根・外壁改修構造において、上記板材の内先端に位置する板材の働き幅（ｂ１）がその他の板材の働き幅（ｂ２）に対して小さく設定されており、それに対応するように、上記金属製板材の内先端に位置する金属製スタータ板材の距離（ｌ１）をその他の金属製標準板材の距離（ｌ２）より小さく設定したことを特徴とするものである。
又、請求項７による屋根・外壁の改修構造は、請求項５又は請求項６記載の屋根・外壁改修構造において、上記金属製板材は上記板材との間には断熱用空間が形成されていることを特徴とするものである。
又、請求項８による屋根・外壁の改修構造は、請求項７記載の屋根・外壁改修構造において、上記断熱用空間は上記釘打部を挟んで葺き方向両側に設けられていることを特徴とするものである。
【発明の効果】
【００１１】
以上述べたように本願発明の請求項１による屋根の改修工法によると、板材をその一部を重合させた状態で順次葺いて構成され、働き幅（ｂ）にバラツキを持った屋根又は外壁を、金属製板材を使用して改修する屋根・外壁改修工法において、上記金属製板材は先端側に係合凹部を有し基端側に隣接する別の金属製板材の上記係合凹部が係合する係合凸部を備えていて、上記金属製板材の先端から上記係合凸部の先端までの距離（ｌ）に、上記板材の働き幅（ｂ）のバラツキに合せてバラツキを持たせ、それによって、全ての金属製板材の釘打部が上記板材の重合箇所の手前に位置するようにしたので、改修後に不必要な凹凸を発生させることなく、機能的にも美感上も優れた改修を行うことができる。
又、請求項２による屋根・外壁の改修工法によると、請求項１記載の屋根・外壁改修工法において、上記板材の内先端に位置する板材の働き幅（ｂ１）がその他の板材の働き幅（ｂ２）に対して小さく設定されており、それに対応するように、上記金属製板材の内先端に位置する金属製スタータ板材の距離（ｌ１）をその他の金属製標準板材の距離（ｌ２）より小さく設定したので、上記効果を確実に得ることができる。
又、請求項３による屋根・外壁の改修工法によると、請求項１又は請求項２記載の屋根・外壁改修工法において、上記金属製板材は上記板材との間に断熱用空間が形成されるように葺かれるので、改修後の構造において、改修用金属製板材は上記板材との間に断熱用空間を確保することができ、それによって、断熱性能を向上させることができる。
又、請求項４による屋根・外壁の改修工法によると、請求項３記載の屋根・外壁改修工法において、上記断熱用空間は上記釘打部を挟んで葺き方向両側に設けられているので、より高い断熱効果を得ることができる。
又、請求項５による屋根・外壁の改修構造によると、板材をその一部を重合させた状態で順次葺いて構成され、働き幅（ｂ）にバラツキを持った屋根又は外壁と、上記屋根又は外壁の改修に使用される複数枚の金属製板材と、を具備し、上記金属製板材は先端側に係合凹部を有し基端側に隣接する別の金属製板材の上記係合凹部が係合する係合凸部を備えていて、上記金属製板材の先端から上記係合凸部の先端までの距離（ｌ）に、上記板材の働き幅（ｂ）のバラツキに合せてバラツキを持たせ、それによって、全ての金属製板材の釘打部が上記板材の重合箇所の手前に位置するようにしたので、改修後に不必要な凹凸を発生させることなく、機能的にも美感上も優れた改修を行うことができる。
又、請求項６による屋根・外壁の改修構造によると、請求項５記載の屋根・外壁改修構造において、上記板材の内先端に位置する板材の働き幅（ｂ１）がその他の板材の働き幅（ｂ２）に対して小さく設定されており、それに対応するように、上記金属製板材の内先端に位置する金属製スタータ板材の距離（ｌ１）をその他の金属製標準板材の距離（ｌ２）より小さく設定したので、上記効果を確実に得ることができる。
又、請求項７による屋根・外壁の改修構造によると、請求項５又は請求項６記載の屋根・外壁改修構造において、上記金属製板材は上記板材との間には断熱用空間が形成されているので、断熱効果を得ることができる。
又、請求項８による屋根・外壁の改修構造によると、請求項７記載の屋根・外壁改修構造において、上記断熱用空間は上記釘打部を挟んで葺き方向両側に設けられているので、より高い断熱効果を得ることができる。
【図面の簡単な説明】
【００１２】
【図１】本発明の第１の実施の形態を示す図で、屋根改修構造を示す一部側断面図である。
【図２】本発明の第１の実施の形態を示す図で、屋根改修構造を示す一部斜視図である。
【図３】本発明の第１の実施の形態を示す図で、図３（ａ）は鋼板製屋根材の端面図、図３（ｂ）は軒先唐草の変形例を示す端面図である。
【図４】本発明の第２の実施の形態を示す図で、屋根改修構造を示す一部側断面図である。
【図５】本発明の第３の実施の形態を示す図で、屋根改修構造を示す一部側断面図である。
【図６】本発明の第４の実施の形態を示す図で、図６（ａ）、（ｂ）、（ｃ）は鋼板製屋根材の端面図である。
【図７】本発明の第４の実施の形態を示す図で、図７（ａ）、（ｂ）、（ｃ）は鋼板製屋根材の端面図である。
【図８】本発明の第４の実施の形態を示す図で、屋根改修構造を示す一部側断面図である。
【図９】本発明の第５の実施の形態を示す図で、外壁改修構造を示す一部側断面図である。
【図１０】従来例を示す図で、屋根改修構造を示す断面図である。
【図１１】従来例を示す図で、屋根改修構造を示す断面図である。
【発明を実施するための形態】
【００１３】
以下、図１乃至図３を参照して本発明の第１の実施の形態を説明する。この第１の実施の形態は本発明を屋根１の改修に適用した例を示すものである。
既存の屋根１の構成から説明する。まず、野地板３があり、この野地板３の上には防水シート５が設置されている。上記防水シート５の上には複数枚の新生屋根瓦７が葺かれている。その際、上記新生屋根瓦７の基端部に次に葺かれる新生屋根瓦７の先端部が重合した状態になっている。
尚、上記新生屋根瓦７としては、例えば、スレート屋根、石綿スレート屋根、等がある。
【００１４】
上記複数枚の新生屋根瓦７の、いわゆる、「働き幅」をみてみると、先端に位置するスタータとしての新生屋根瓦７の働き幅は「ｂ１」であり、それ以降の標準的な新生屋根瓦７の働き幅は「ｂ２」であり、ｂ１＜ｂ２となっている。
また、上記スタータとしての新生屋根瓦７の先端には軒先唐草４０が設置されているとともに、その軒先唐草４０の下方の破風板４３には樋４５が設置されている。
【００１５】
次に、上記既存の屋根１の改修について説明する。改修に際しては、鋼板製スタータ屋根材１１、鋼板製標準屋根材１３の二種類を使用する。上記鋼板製標準屋根材１３は、図３に示すような構成になっている。まず、先端は外側に折り曲げられていて先端折曲部１５となっている。この先端折曲部１５は下側であって基端側に向けて屈曲・形成されていて、係合凹部１７が形成されている。この係合凹部１７の図３中上面は平坦部１９となっている。
【００１６】
上記平坦部１９の図３中右側は折曲線２１を介して折り曲げられていて傾斜部２３となっている。この傾斜部２３の図３中右側は折曲線２５を介して折り曲げられていて平坦部２７となっている。上記平坦部２７の図３中右側は屈曲されていて係合凸部２９が形成されている。この係合凸部２９の図３中右側には平坦部３１が形成されていて、この平坦部３１の図３中右端は上側に折り曲げられていて折曲部３３となっている。
上記折曲線２１の部位、上記折曲線２５の部位、上記係合凸部２９と平坦部３１の間の角部は、何れも若干突出した状態に形成されている。
尚、既に説明した軒先唐草４０としては、図３（ｂ）に示すような形状のものもある。
【００１７】
上記鋼板製標準屋根材１３は、図１、図２に示すように、自身の係合凸部２９に次に葺かれる鋼板製標準屋根材１３の係合凹部１７が係合されながら葺かれていく。
【００１８】
一方、上記鋼板製スタータ屋根材１１であるが、その構成は上記鋼板製標準屋根材１３と同じであるが、係合凸部２９の先端から平坦部１９の先端までの距離が異なっている。鋼板製スタータ屋根材１１の場合の距離が「ｌ１」となっているのに対して、鋼板製標準屋根材１３の距離が「ｌ２」となっており、ｌ１＜ｌ２となっている。
尚、上記鋼板製スタータ屋根材１１と上記鋼板製標準屋根材１３の距離ｌ１、ｌ２のバラツキは、既に説明した新生屋根瓦７の働き幅ｂ１、ｂ２のバラツキに対応するものである。
【００１９】
そして、改修に際しては、図１に示すように、まず、上記鋼板製スタータ屋根材１１を葺く。その際、係合凹部１７を既存の屋根１の軒先唐草４０に係合させる。そして、基端側の平坦部３１の部分に釘（或いはビス）４１によって釘打ちを施す。これによって、上記鋼板製スタータ屋根材１１が既存の屋根１の先端部に固定される。
尚、図１では、鋼板製スタータ屋根材１１を１個のみ示しているが、紙面に直交する方向に複数連接されている。
又、釘４１による釘打部であるが、図示するように、既存の屋根１の新生屋根瓦７相互の重合部の手前の位置となる。
因みに、この部位に上記鋼板製標準屋根材１３を使用すると、上記釘打部が新生屋根瓦７、７の重合部に位置してしまう。
【００２０】
次に、上記鋼板製標準屋根材１３を葺いていく。すなわち、鋼板製標準屋根材１３の係合凹部１７を上記鋼板製スタータ屋根材１１の係合凸部２９に係合させる。そして、上記鋼板製標準屋根材１３の基端側の平坦部３１に釘４１によって釘打ちを施す。又、この場合も、その釘打部は、図示するように、既存の屋根１の新生屋根瓦７、７相互の重合部の手前の位置となる。
【００２１】
以下、同様にして、複数枚の鋼板製標準屋根材１３を葺いていく。
尚、図１では、鋼板製スタータ屋根材１１、鋼板製標準屋根材１３を若干模式的に示しているが、実際の端面形状は図３（ａ）に示すものである。
【００２２】
以上、本実施の形態によると次のような効果を奏することができる。
まず、屋根１を改修した状態で不必要な凹凸部が発生するようなことはなく、機能的にも美感上も優れた屋根改修構造を提供することができる。これは、先端から係合凸部２９の先端までの距離（ｌ１、ｌ２）が異なる二種類の鋼板製スタータ屋根材１１、鋼板製標準屋根材１３を用意して、全ての釘打部が既存の屋根１の新生屋根瓦７、７の重合部の手前に位置するように工夫したからである。
又、鋼板製スタータ屋根材１１、鋼板製標準屋根材１３の係合凹部１７の内側には断熱空間４６が形成されているとともに、鋼板製スタータ屋根材１１と既存の新生屋根瓦７との間、鋼板製標準屋根材１３と既存の新生屋根瓦７との間にも、断熱空間４７が形成されているので、断熱効果を高めことができる。
又、釘打部は次の鋼板製標準屋根材１３によって覆い隠されることになるので、釘打部からの水の浸入を確実に防止することができる。
又、鋼板製スタータ屋根材１１、鋼板製標準屋根材１３には、折曲線２１、２５等が設けられているので、剛性を高めることができる。
又、既存の屋根１の構造を取り除かず施工ができるので、既存の屋根１の解体、撤去、廃棄処理に掛かる費用が不要となる。
又、屋根下地を新規に造る必要がないので施工期間を短縮させることができる。
又、既存の建物に居住しながら施工が可能になるので引っ越しが不要である。
【００２３】
次に、図４を参照して本発明の第２の実施の形態を説明する。この第２の実施の形態の場合には、前記第１の実施の形態の場合とは異なる形状の軒先唐草４０′を使用した例を示すものである。
尚、その他の構成は前記第１の実施の形態の場合と同様であり、図中同一部分に同一符号を付して示しその説明を省略する。
この場合にも、前記第１の実施の形態の場合と同様の効果を奏することができる。
【００２４】
次に、図５を参照して本発明の第３の実施の形態を説明する。この場合には、前記第１、第２の実施の形態のような軒先唐草４０、４０′を使用することなく、Ｕ型水切り１２を介して、鋼板製スタータ屋根材１１を新生屋根瓦７に係合させている。
尚、上記Ｕ型水切り１２を介在させない場合もある。
その他の構成は前記第１、第２の実施の形態の場合と同じであり、図中同一部分には同一符号を付して示しその説明は省略する。
このような構成でも同様の効果を奏することができる。
【００２５】
次に、図６乃至図８を参照して本発明の第４の実施の形態を説明する。この第４の実施の形態は、鋼板製スタータ屋根材１１、鋼板製標準屋根材１３の変形例を示すものである。
まず、図６（ａ）に示す鋼板製スタータ屋根材１１、鋼板製標準屋根材１３は、前記第１乃至第３の実施の形態で示した鋼板製スタータ屋根材１１、鋼板製標準屋根材１３に対して、係合凹部１７、係合凸部２９等の形状が異なっている。
次に、図６（ｂ）に示す鋼板製スタータ屋根材１１、鋼板製標準屋根材１３は、前記第１乃至第３の実施の形態で示した鋼板製スタータ屋根材１１、鋼板製標準屋根材１３に対して、平坦部２７、３１が広範囲に設けられていて、全体として、平タイプとして構成されている。
次に、図６（ｃ）に示す鋼板製スタータ屋根材１１、鋼板製標準屋根材１３は、前記第１乃至第３の実施の形態で示した鋼板製スタータ屋根材１１、鋼板製標準屋根材１３に対して、係合凹部１７、係合凸部２９等の形状が異なっている。
次に、図７（ａ）に示す鋼板製スタータ屋根材１１、鋼板製標準屋根材１３は、前記第１乃至第３の実施の形態で示した鋼板製スタータ屋根材１１、鋼板製標準屋根材１３に対して、途中に別の係合凸部２７′、傾斜面２３′が設けられている。
次に、図７（ｂ）に示す鋼板製スタータ屋根材１１、鋼板製標準屋根材１３は、前記第１乃至第３の実施の形態で示した鋼板製スタータ屋根材１１、鋼板製標準屋根材１３に対して、傾斜面２３が広範囲に設けられている。
さらに、図７（ｃ）に示す鋼板製スタータ屋根材１１、鋼板製標準屋根材１３も、前記第１乃至第３の実施の形態で示した鋼板製スタータ屋根材１１、鋼板製標準屋根材１３に対して、傾斜面２３が広範囲に設けられている。
【００２６】
尚、図８は、図６（ｂ）に示した鋼板製スタータ屋根材１１、鋼板製標準屋根材１３を使用した改修構造を示している。
図中前記第１乃至第３の実施の形態と同一部分には同一符号を付して示しその説明は省略する。
【００２７】
次に、図９を参照して本発明の第５の実施の形態を説明する。この第５の実施の形態は、本発明を外壁５０の改修に適用した例を示すものである。図５に示すように、まず、基礎５１があり、この基礎５１上には土台５３が設置されている。この土台５３には壁材５５が立設されている。
【００２８】
上記壁材５５の外周には防水シート５７が設置されていて、この防水シート５７の外周に外壁材としての複数枚のカラーベスト５９が葺かれている。
尚、複数枚のカラーベスト５９の内最下位に位置しているのがカラーベストスタータ５９である。上記カラーベストスタータ５９の働き幅はｂ１であり、その他のカラーベスト５９の働き幅はｂ２である。働き幅ｂ１と働き幅ｂ２との間には、ｂ１＜ｂ２という関係がある。
【００２９】
このような構成の家屋の外壁に対して、前記第１の実施の形態の場合と同様に、鋼板製スタータ外壁材１１、鋼板製標準外壁材１３を順次葺いていく。これら鋼板製スタータ外壁材１１、鋼板製標準外壁材１３は、寸法は適宜変更されるが、その基本構成は前記第１の実施の形態における鋼板製スタータ屋根材１１、鋼板製標準屋根材１３と同じものである。
これら鋼板製スタータ外壁材１１、鋼板製標準外壁材１３を、前記第１の実施の形態の場合と同様の工程を経て順次葺いていくことにより、図９に示すような改修外壁構造を得る。
外壁の場合には屋根の場合のような軒先唐草に相当するものがないので、鋼板製スタータ外壁材１１の係合凹部１７をカラーベストスタータ５９′の先端部に、Ｕ型水切り１２を介して係合させる。
Ｕ型水切り１２を介在させずに係合させる場合もある。
又、この第５の実施の形態においては、前記第１乃至第３の実施の形態において使用した鋼板製スタータ外壁材１１、鋼板製標準外壁材１３を使用した構成を例に挙げて説明しているが、その代わりに、前記第４の実施の形態で説明した様々な形状の鋼板製スタータ外壁材１１、鋼板製標準外壁材１３を使用しても良い。
尚、図中前第１の実施の形態と同一部分には同一符号を付して示しその説明を省略する。
【００３０】
このように、本願発明を外壁の改修に適用した場合も同様の効果を奏することができるものである。
【００３１】
尚、本発明は前記第１〜第５の実施の形態に限定されるものではない。
例えば、前記第１〜第５の実施の形態では、改修用金属製板材として、図３に示すような形状のものを使用したが、それに限定されるものではなく、様々な材質、形状の改修用金属製板材の使用が考えられる。
又、前記第１〜第５の実施の形態の場合には、鋼板製の屋根材、外壁材を使用したが、それ以外にも、例えば、ステンレス製の屋根材、外壁材、アルミニウム製の屋根材、外壁材、銅製の屋根材、外壁材、チタン製の屋根材、外壁材、の使用が考えられる。
又、前記第１〜第５の実施の形態の場合には、既存の屋根の板材の上に改修用の金属製板材を葺くようにしているが、既存の屋根の板材の上に下葺材（防水シート）を葺き、その上に改修用の金属製板材を葺くようにしても良い。
又、改修用の金属製板材の寸法は、既存の建物に合わせて自由に設定可能である。
又、既存の屋根、外壁の構造についてもこれを特に限定するものではない。
又、改修用の金属製板材の内周に、断熱材、結露防止材、遮音材、防水シート、等を内装することも可能である。
その他、図示した構成はあくまで一例である。
【産業上の利用可能性】
【００３２】
本発明は、例えば、既存の屋根又は外壁をそのまま残した状態で改修する屋根・外壁改修工法と屋根・外壁改修構造に係り、特に、不必要な凹凸を発生させることなく改修することを可能とし、且つ、美感上も優れた外観を提供することができるように工夫したものに関し、例えば、スレート材、石綿スレート材、等の新生屋根瓦からなる屋根の改修に好適である。
【符号の説明】
【００３３】
１  屋根
３  野地板
５  防水シート
７  新生屋根瓦（板材）
１１  鋼板製スタータ屋根材（金属製板材）
１３  鋼板製標準屋根材（金属製板材）
４７  断熱空間
５０  外壁
５９  カラーベスト
【図１】
2018071090.tif 000003
【図２】
2018071090.tif 000004
【図３】
2018071090.tif 000005
【図４】
2018071090.tif 000006
【図５】
2018071090.tif 000007
【図６】
2018071090.tif 000008
【図７】
2018071090.tif 000009
【図８】
2018071090.tif 000010
【図９】
2018071090.tif 000011
【図１０】
2018071090.tif 000012
【図１１】
2018071090.tif 000013